(57)【要約】      （修正有）【課題】水栓柱に設けられた湯水の流量又は温度の調節ができる水栓金具の操作性を向上させる。【解決手段】屋外に設置され、給水管９に接続される給水配管１０と、給湯管１１に接続される給湯配管１２とが収容されたケース４と、前記各配管１０，１２に接続され水と湯の流量及び温度を調節する水栓金具５とを備え、この水栓金具５は前記各配管１０，１２から供給される水と湯とを混合し、湯水の流量と温度とを単一のレバー２１の操作により調節するシングルレバー式とした。【選択図】図１
2005120717.tif 000002
【特許請求の範囲】
【請求項１】
屋外に設置され、給水管に接続される給水配管と、給湯管に接続される給湯配管とが収容されたケースと、前記各配管に接続され水と湯の流量及び温度を調節する水栓金具とを備え、この水栓金具は前記各配管から供給される水と湯とを混合し、湯水の流量と温度とを単一のレバーの操作により調節するシングルレバー式としたことを特徴とする水栓柱。
【請求項２】
前記水栓金具はケースの上部側面に固定されたことを特徴とする請求項１記載の水栓柱。
【請求項３】
前記水栓金具はケースの上部平面に固定されたことを特徴とする請求項１記載の水栓柱。
【請求項４】
前記水栓金具はケースの上部にレバーを露出させたことを特徴とする請求項３記載の水栓柱。
【発明の詳細な説明】
【技術分野】
【０００１】
本発明は、住宅の庭、車庫や公園等の屋外に設置される水栓柱に関するものである。
【背景技術】
【０００２】
従来、例えば住宅の庭、車庫や公園等に水栓柱を立設して設置し、屋外でも水を利用できるようにしたものが公知である。屋外に設置される水栓柱は水のみが吐水され、湯を吐水することのできない単水栓が取り付けられており、この単水栓に吐水管やホースを接続して屋外の広い範囲に水を吐水させることができるようにしていた。しかし、屋外で水のみしか吐水させることができないと、外気温が低くなる冬には洗車等には使いづらいうえ、例えば屋外で犬や猫等のペットを洗おうとしても湯が出ないと使いづらく不便であった。そこで、屋外で水だけでなく湯水を吐水させることができるようにした水栓柱として公知のものに、特許文献１のものがある。
【０００３】
この特許文献１について、図６により簡単に説明すると、屋外の庭には洗い場３０が設けられており、この洗い場３０に水栓柱３１が設置されている。水栓柱３１は洗い場３０の後方中央部から立設したケース３２と、このケース３２の内部に収容された水栓金具３３とを備え、ケース３２の内部には水が供給される水配管３４と湯が供給される湯配管３５とが下部から上部に向けて収容され、ケース３２の上部には水栓金具３３と連繋した水ハンドル３６と湯ハンドル３７とが露出している。この２ハンドル式の水栓金具３３では、ケース３２を中心として左右両側で対称となるように設けられた両ハンドル３６，３７をそれぞれ操作することで、ホース３８を介してシャワーヘッド３９から湯水が吐水されるものである。
【０００４】
【特許文献１】特開２００２−１７３９５８号公報
【０００５】
このような水栓柱は冷たい水だけでなく、水と湯とが適度の温度に調節された湯水を吐水させることができるので、特に冬の寒い時期に使用するには便利であった。しかしながら、水側のハンドルと湯側のハンドルとは別物品であり、各ハンドルはケースに対し左右反対側の離れた位置に設けられているため、例えば洗い場でペットを洗う場合、一方の手はペットを支える必要があり、もう一方の手で２個のハンドルを操作して湯水の流量又は温度を調節しなければならず、水栓金具の操作が面倒なものであった。
【０００６】
しかも水栓柱が屋外の洗い場に設けられていると、例えばケースに対し一方の側の正面の位置からそれぞれ両方のハンドルを操作しようとすると、他方の側のハンドルは中空状のケースに隠れてしまう場合があり、ハンドルの操作が手探りとなってしまい正確に湯水の流量又は温度を調節することできず、極めて不便なものであった。
【発明の開示】
【発明が解決しようとする課題】
【０００７】
本発明は、このような従来の技術に存在する問題点に着目してなされたものであり、その課題は、水栓柱に設けられた湯水の流量又は温度の調節ができる水栓金具の操作性を向上させることである。
【課題を解決するための手段】
【０００８】
上記目的を達成するため、請求項１に記載の発明は、屋外に設置され、給水管に接続される給水配管と、給湯管に接続される給湯配管とが収容されたケースと、前記各配管に接続され水と湯の流量及び温度を調節する水栓金具とを備え、この水栓金具は前記各配管から供給される水と湯とを混合し、湯水の流量と温度とを単一のレバーの操作により調節するシングルレバー式としたものである。
【０００９】
請求項２では請求項１記載の発明による水栓柱において、前記水栓金具はケースの上部側面に固定されたものである。
【００１０】
請求項３では請求項１記載の発明による水栓柱において、前記水栓金具はケースの上部平面に固定されたものである。
【００１１】
請求項４では請求項３記載の発明による水栓柱において、前記水栓金具はケースの上部にレバーを露出させたものである。
【発明の効果】
【００１２】
本発明の請求項１の水栓柱によると、水栓金具が単一のレバーの操作で湯水の流量と温度の調節ができるシングルレバー式であるので、屋外で一方の手でペット等を快適に洗い、もう一方の手で水栓のレバーを持ち湯水の流量調節や温度調節を行なうことができ、作業性が大幅に向上する。
【００１３】
請求項２の水栓柱によると、水栓金具はケースの側面に固定されたので、水栓柱の正面からレバーの位置を確認することができ、操作性を向上させることができる
【００１４】
請求項３の水栓柱によると、水栓金具はケースの上部平面に固定されたので、水栓柱と水栓金具とが同一軸線上にあり、一体感を持たせることができ、美観が向上する。
【００１５】
請求項４の水栓柱によると、水栓金具はケースの上部にレバーを露出させたので、水栓柱の周面のどの位置からもレバーの位置を確認することができ、操作性を向上させることができる。
【発明を実施するための最良の形態】
【００１６】
以下、本発明の実施の形態を図に基づいて詳細に説明する。
【実施例１】
【００１７】
図１に示すように、コンクリート製の洗い場１は略直方体で、住宅の庭、車庫、公園等の屋外に設置されており、一方の隅には湯水を排水するための排水口２が設けられている。本発明の水栓柱３はこの洗い場１の後方から立設するようにして固定され、洗い場１に固定される中空で縦長のケース４と、このケース４の上部側面に固定される水栓金具５と、この水栓金具５で流量及び温度が調節された湯水が吐水される吐水管６とを備えている。
【００１８】
前記ケース４は屋外に設置されるため太陽光や雨，風に曝されるので、例えば、ステンレス鋼，アルミニウム等の金属や、ポリエチレン，ポリエステル等の耐久性、耐候性に優れて早急に劣化することのない材質で形成するのが望ましい。また、ケース４の形状は例えば角柱状、円柱状、多角柱状等が望ましい。そして、ケース４は中空状であり、図２及び図３に示すように、内部の収納空間４ａの適所には凍結を防止するための保温材４ｂが充填されている。ケース４の上部の側面で洗い場１の正面側には上側開口部７が、この上部開口部７と同一面の下方には下部開口部７ａが、両開口部７，７ａと異なる側面には接続孔８が形成されている。接続孔８はケース４の下部で互いに向かい合うようにして側面に一対開口されており、給水源と連通している給水管９と接続してこの給水管９から供給される水を水栓金具５に供給する略Ｌ字型の給水配管１０と、給湯源と連通している給湯管１１と接続してこの給湯管１１から供給される湯を水栓金具５に供給する略Ｌ字型の給湯配管１２とが、ケース４の内部で左右並列に収容されている。なお、給水管と給湯管とは、地上に配設しても、地中に埋設してもどちらでもよい。
【００１９】
図２及び図３は、ケース４の上部側面に水栓金具５であるシングルレバー式水栓が固定された状態である。シングルレバー式水栓５は単一のレバー２１の操作により湯水の流量及び温度を調節することのできるもので、ケース４の内部に形成された収納空間４ａで、前記給水配管１０に接続された水供給管１０ａ及び給湯配管１２に接続された湯供給管１２ａの各上端部と接続されるものであり、ケース４の上部開口部７からビス１３を介して固定される。シングルレバー式の水栓金具５は略円筒形状の本体１４と、この本体１４に凹設された弁室１４ａに収容される混合弁１５とを備え、ケース４に固定された水栓金具５の下部にはケース４から前方に向けて吐水管６が取付けられており、水栓金具５と吐水管６とは収納空間４ａで供給管１７により連通している。従って、水栓金具５で調節された湯水は供給管１７を介して吐水管６へ供給され、この吐水管６から外部へ吐水される。
【００２０】
前記混合弁１５は本体１４の弁室１４ａに着脱自在に装着され、前記水供給管１０ａから供給される水と、湯供給管１２ａから供給される湯とを混合するものであり、前記本体１４に形成された混合室１４ｂと連通している。前記弁室１４ａの底面には前記水供給管１０ａと連通する水入口と、湯供給管１２ａと連通する湯入口とが穿設されている。前記弁室１４ａに装着される混合弁１５は、セラミックス又は樹脂の成形による固定板１８と可動板１９とを互いに重ね合わせて内装し、この可動板１９は把手軸２０を介してレバー２１と連繋しており、レバー２１はケース４の側面で露出して正面に向けて突出している。
【００２１】
水栓金具５は図２及び図３の止水状態からレバー２１を手前へ向けで移動することで湯水が吐水される。レバー２１の手前への移動により混合弁１５で流量が調節された湯水は、混合室１４ｂを介して吐水管６から外部へ供給され、図２のレバー２１が正面を向いている中央の位置から右へ回転させると、吐水管６から吐水される湯水の温度は低くなり、中央の位置から左へ回転させると、吐水管６から吐水される湯水の温度は高くなる。なお、前記吐水管６はナット２２が螺着されることにより回転自在に接続されており、吐水管６の先端には必要に応じて、先端にシャワーヘッドを備えたホースを結合し、ホースを伸ばして屋外の広い範囲でシャワーヘッドから吐水できるようにしてもよい。
【００２２】
本発明では水栓柱に固定される水栓金具は、単一のレバーの操作により湯水の流量と温度とを調節することのできるシングレバー式である。水栓柱に固定される水栓金具が２ハンドル式であると、水側のハンドルと湯側のハンドルとは別物品であり、各ハンドルはケースに対し左右反対側の離れた位置に設けられているため、例えば洗い場でペットを洗う場合、一方の手はペットを支える必要があり、もう一方の手で２個のハンドルを操作して湯水の流量又は温度を調節しなければならず、水栓金具の操作が面倒なものであった。これに対し本発明のように水栓金具が単一のレバーの操作により湯水の流量及び温度を調節することのできるシングルレバー式であると、片方の手のみで湯水の流量と温度とを調節することができ、例えば一方の手でペット又はホース等を持って洗いながら、もう一方の手でレバーを操作して湯水の流量又は温度を調節することができ、従来の２ハンドル式の水栓金具と比較して操作性を大幅に向上させることができる。
【実施例２】
【００２３】
図４及び図５は本発明の第２の実施形態による水栓柱である。前述した第１の実施形態の水栓柱では、ケースの上部側面に水栓金具を固定していたが、第２の実施形態では水栓金具をケースの上部平面に固定している。水栓柱３ａのケース２４は上端面に上部開口部２５が形成され、この上部開口部２５を覆うように装着されたキャップ２６に対し固定ナット２７を介してシングルレバー式の水栓金具５ａが固定される。シングルレバー式の水栓金具５ａは略円筒形状の本体１４と、この本体１４の上端に凹設された弁室１４ａに収容される混合弁１５と、この混合弁１５で調節された湯水を外部へ吐水するための吐水管１６とを備えている。吐水管１６は接続具２８を介して本体の混合室１４ｂと連通している。なお、その他の構成は前記実施例と同一であるので、同一の物品には同一の符号を付し、詳細な説明を省略する。
【００２４】
本実施形態の水栓柱は、水栓金具はシングルレバー式であり、ケースの上部平面に固定されているため水栓柱と水栓金具とが同一軸線上にあり、一体感を持たせることができ、美観が向上する。また、水栓柱の周囲で正面だけでなくどの位置からも、湯水の流量又は温度を調節するためのレバーの位置を目視することができ、２ハンドル式の水栓金具と比較して操作性を大幅に向上させることができる。
【産業上の利用可能性】
【００２５】
本発明の活用例として、ケースにはホースを支持するためのフックを設けてもよい。また、ケースにはペット等を洗浄するために必要となるブラシ等を置く容器を取付けてもよい。
【図面の簡単な説明】
【００２６】
【図１】第１の実施形態による水栓柱の斜視図である。
【図２】第１の実施形態による水栓柱の正面図である。
【図３】第１の実施形態による水栓柱の縦断面図である。
【図４】第２の実施形態による水栓柱の正面図である。
【図５】第２の実施形態による水栓柱の縦断面図である。
【図６】従来技術の説明図である。
【符号の説明】
【００２７】
３，３ａ：水栓柱
４，２４：ケース
５，５ａ：水栓金具
９      ：給水管
１０    ：給水配管
１１    ：給湯管
１２    ：給湯配管
２１    ：レバー
【図１】
2005120717.tif 000003
【図２】
2005120717.tif 000004
【図３】
2005120717.tif 000005
【図４】
2005120717.tif 000006
【図５】
2005120717.tif 000007
【図６】
2005120717.tif 000008